(57)【要約】      （修正有）【課題】騒音対策として今まで側溝蓋によるガタつき騒音の防止対策が講じられないまま、長い年月が過ぎてきている。そこで、このガタつき音を発生させない騒音防止付き側溝蓋を提供する。【解決手段】本製品には２種類の形がある。端末用と中間用とがあり、蓋の厚みと幅の立面接続する部分の中心部分に嵌合する形状を造形し接続並列することにより、ガタつき騒音が防止出来るのである。すべり止めを付したもの、排水金具を付した製品なども製作可能である。又本件製品は施設に際してはいろいろな並列方法がある。適当な間隔にて排水具（グレーチング）又手掛け付き蓋を任意にて並列することにより、それなりの機能が発揮できるのである。【選択図】図４
2014132148.tif 000002
【特許請求の範囲】
【請求項１】
日本国内に施設されている道路・公道及び私道を問わずあらゆる道路には側溝が付設されているのが現状である。そしてその側溝には必ずと言ってもよい程、危険防止他色々な面で側溝蓋が施設されているのが実情である。
手掛けの付してあるもの、排水金具の付いているもの、又はすべり止め模様を付してあるもの等々である。
【請求項２】
本件は社会的見地から見ても問題視されている騒音に係る物件である。
道路上を走る自動車などが側溝上を走る際に発生するガタつき音は、地域住民に与える騒音として社会問題にもなっている。
【請求項３】
騒音防止のための製品は数種類あるが、今回改めて騒音防止付き道路側溝蓋をここに提供するものである。
【請求項４】
従来側溝蓋は長方形のコンクリート製品にて施設されている。接続部分は蓋の厚みとその幅の立面にて並列されているため、蓋の製形状態によっては側溝上を自動車などが通過した際にガタつき音が発生するのである。
側溝の蓋の製作にあたっては定形寸法により製作された型枠に生コンクリートを挿入し成形するのであるが、型枠の底の部分が出来上がった製品の表面になる。又型枠に生コンクリートを挿入した型枠上部は下の部分となり側溝蓋が形成されるのであるが、その際上部コンクリート面はコテにて平らにならされるが、生コンクリートの粗成部分はそのまま残るため、若干の厚みの不均衡が残りガタつきの元となるのである。側溝に施設並列した際にこの上を自動車等が通過することにより、これが騒音に変化するのである。
【請求項５】
本件発明は、このガタつき音を発生させない最善の製品にて提供するものである。又本製品には２種類の形がある。端末用と中間用とがあり、［請求項４］に記した蓋の厚みと幅の立面接続する部分の中心部分に嵌合する形状を造形（［図１］・［図２］参照）し接続並列することにより、ガタつき騒音が防止出来るのである。
【請求項６】
本件発明品は、すべり止めを付したもの、排水金具を付した製品なども製作可能である。又本件製品は施設に際してはいろいろな並列方法がある。
適当な間隔にて排水具（グレーチング）又手掛け付き蓋を任意にて並列することにより、それなりの機能が発揮できるのである。（［図３］・［図４］・［図５］参照）
【発明の詳細な説明】
【技術分野】
【０００１】本発明は道路側溝用に騒音防止機能を付した側溝蓋を提供するものである。
【背景技術】
【０００２】従来道路側溝蓋は長方形状にて施設並列されている。
【発明の開示】
【発明が解決しようとする課題】
【０００３】道路を走行する自動車などの車輪が側溝蓋の上を通過する際に発生するガタつき音が騒音となり、近隣住民に与える精神的影響が大きな問題となり色々と取り沙汰されているのが現状である。
これらを解決するために本件発明品を提供するものである。
【課題を解決するための手段】
【０００４】本発明品の嵌合部付きの側溝蓋端末用と中間用との２種類の側溝蓋を噛み合わせ並列することにより、本件目的のガタつき騒音が防止でき、本来の目的が達成できる騒音防止付き側溝蓋を提供するものである。
【発明の効果】
【０００５】従来より騒音防止対策の施された側溝蓋などは数少ないのが現状である。
そのため本件発明品は共に嵌合し並列された状態を見れば、その効果が実証出来るのが最大の利点である。
【発明を実施するための最良の形態】
【０００６】本件製品嵌合部付きの側溝蓋は、数多く施設並列することにより、その効果は大きく現れるのである。
従来側溝蓋の製造は、成形された型枠に生コンクリートを挿入して成形するのである。出来上がった製品は、型枠上部の生コンクリートの部分はコテなでして平らにならしても、生コンクリートのざらざらした粗成部分が残り、厚みに若干の不均衡が残りガタつきの元となるのである。そのため側溝の蓋掛りの部分は平らであるが、そこに成形さた蓋を施設しても多少の段差が生じているため、騒音の発生の元となるのである。側溝蓋の嵌合部が従来の側溝蓋の幅と厚みの立面のみで並列されている状態と比較してみても、本発明製品嵌合部付きの側溝蓋がいかに騒音防止効果があるのかが一目瞭然である。
又本発明品を施設する際は現場の様々な状態を考慮して、その場所に応じた施設並列が可能である。
多く排水効果を必要とする場所には、排水金具付きの側溝蓋（並列実施例［図３］・［図４］）を施設し、又グレーチング（実施例［図５］）なども施設するとよい。他にも両手掛け付き蓋もその対象となる。
本発明の嵌合部付き側溝蓋の効果が最大限に発揮できるのである。
【図面の簡単な説明】
【０００７】
【図１】本発明騒音防止付き端末用斜視図
【図２】本発明騒音防止付き中間用斜視図
【図１Ａ】正面図
【図１Ｂ】背面図
【図１Ｃ】平面図
【図１Ｄ】右側面図
【図１Ｅ】左側面図
【図１Ｆ】底面図
【図２ａ】正面図  背面図は正面図と同一に現れる為省略
【図２ｃ】平面図
【図２ｄ】右側面図  左側面図は右側面図と同一に現れる為省略
【図２ｆ】底面図
【図３】すべり止め付き蓋と排水金具付き蓋の並列実施例
【図４】排水金具付き蓋と両手掛け付き及びすべり止め付き蓋の並列実施例
【符号の説明】
【０００８】Ａ、ａ                  正面
Ｂ、ｂ                  背面
Ｃ、ｃ                  平面
Ｄ、ｄ                  右側面
Ｅ、ｅ                  左側面
Ｆ、ｆ                  底面
【図１】
2014132148.tif 000003
【図２】
2014132148.tif 000004
【図３】
2014132148.tif 000005
【図４】
2014132148.tif 000006
【図５】
2014132148.tif 000007
【図１Ａ】
2014132148.tif 000008
【図１Ｂ】
2014132148.tif 000009
【図１Ｃ】
2014132148.tif 000010
【図１Ｄ】
2014132148.tif 000011
【図１Ｅ】
2014132148.tif 000012
【図１Ｆ】
2014132148.tif 000013
【図２ａ】
2014132148.tif 000014
【図２ｃ】
2014132148.tif 000015
【図２ｄ】
2014132148.tif 000016
【図２ｆ】
2014132148.tif 000017
【手続補正書】
【提出日】平成25年4月9日(2013.4.9)
【手続補正１】
【補正対象書類名】明細書
【補正対象項目名】０００７
【補正方法】変更
【補正の内容】
【０００７】
【図１】端末用斜視図
【図２】中間用斜視図
【図３】すべり止め付き蓋と排水金具付き蓋の並列実施例
【図４】排水金具付き蓋と両手掛付き及びすべり止め付き蓋の並列実施例
【図５】雨水等排水用グレーチングの並列実施例
【手続補正２】
【補正対象書類名】明細書
【補正対象項目名】０００８
【補正方法】変更
【補正の内容】
【０００８】「０００８」「図１」端末用斜視図の符号の説明  Ａ          正面  Ｂ          背面嵌合部  Ｃ          平面  Ｄ          右側面  Ｅ          左側面  Ｆ          底面「０００９」「図２」中間用斜視図の符号の説明  ａ          正面嵌合部  ｂ          背面嵌合部  Ｃ          平面  ｄ          右側面  ｅ          左側面  ｆ          底面